【手続補正書】
【提出日】平成24年7月5日(2012.7.5)
【手続補正１】
【補正対象書類名】特許請求の範囲
【補正対象項目名】全文
【補正方法】変更
【補正の内容】
【特許請求の範囲】
【請求項１】
被記録材の搬送方向に異なる色用のドット形成アレイが順次配列された記録ヘッドと、
複数の被記録材を下方から支え、前記異なる色用のドット形成アレイに対応し互いに離間した複数の支持部と、を備え、
１つの色用のドット形成アレイの前記搬送方向の上流側と、これに隣接する他の色用のドット形成アレイの前記搬送方向の下流側の各々は、共通の前記支持部間で、被記録材の縁からはみ出したインクを打ち捨てることを特徴とする記録装置。
【請求項２】
被記録材の搬送方向に異なる色用のドット形成アレイが順次配列された記録ヘッドと、
被記録材を下方から支え、前記異なる色用のドット形成アレイに対応し互いに離間した複数の支持部と、を備え、
それぞれの前記異なる色用のドット形成アレイにおける被記録材の始端を余白なく記録する際は、前記色用のドット形成アレイのそれぞれに対応する前記支持部の前記搬送方向の下流側で、それぞれ被記録材の縁からはみ出したインクを打ち捨てることを特徴とする記録装置。
【請求項３】
被記録材の搬送方向に異なる色用のドット形成アレイが順次配列された記録ヘッドと、
被記録材を下方から支え、前記異なる色用のドット形成アレイに対応し互いに離間した複数の支持部と、を備え、
それぞれの前記異なる色用のドット形成アレイにおける被記録材の終端を余白なく記録する際は、前記色用のドット形成アレイのそれぞれに対応する前記支持部の前記搬送方向の上流側で、それぞれ被記録材の縁からはみ出したインクを打ち捨てることを特徴とする記録装置。
【請求項４】
被記録材の搬送方向に異なる色用のドット形成アレイが順次配列された記録ヘッドと、
被記録材を下方から支え、前記異なる色用のドット形成アレイに対応し互いに離間した複数の支持部と、を備え、
それぞれの前記異なる色用のドット形成アレイにおける被記録材の始端を余白なく記録する際は、前記色用のドット形成アレイのそれぞれに対応する前記支持部の前記搬送方向の下流側で、それぞれ被記録材の縁からはみ出したインクを打ち捨て、
それぞれの前記異なる色用のドット形成アレイにおける被記録材の終端を余白なく記録する際は、前記色用のドット形成アレイのそれぞれに対応する前記支持部の前記搬送方向の上流側で、それぞれ被記録材の縁からはみ出したインクを打ち捨てることを特徴とする記録装置。
【手続補正２】
【補正対象書類名】明細書
【補正対象項目名】０００８
【補正方法】変更
【補正の内容】
【０００８】
上記課題を達成するため、本発明の態様は、被記録材の搬送方向に異なる色用のドット形成アレイが順次配列された記録ヘッドと、複数の被記録材を下方から支え、前記異なる色用のドット形成アレイに対応し互いに離間した複数の支持部と、を備え、１つの色用のドット形成アレイの前記搬送方向の上流側と、これに隣接する他の色用のドット形成アレイの前記搬送方向の下流側の各々は、共通の前記支持部間で、被記録材の縁からはみ出したインクを打ち捨てることを特徴とする。
本発明の他の態様は、被記録材の搬送方向に異なる色用のドット形成アレイが順次配列された記録ヘッドと、被記録材を下方から支え、前記異なる色用のドット形成アレイに対応し互いに離間した複数の支持部と、を備え、それぞれの前記異なる色用のドット形成アレイにおける被記録材の始端を余白なく記録する際は、前記色用のドット形成アレイのそれぞれに対応する前記支持部の前記搬送方向の下流側で、それぞれ被記録材の縁からはみ出したインクを打ち捨てることを特徴とする。
本発明の他の態様は、被記録材の搬送方向に異なる色用のドット形成アレイが順次配列された記録ヘッドと、被記録材を下方から支え、前記異なる色用のドット形成アレイに対応し互いに離間した複数の支持部と、を備え、それぞれの前記異なる色用のドット形成アレイにおける被記録材の終端を余白なく記録する際は、前記色用のドット形成アレイのそれぞれに対応する前記支持部の前記搬送方向の上流側で、それぞれ被記録材の縁からはみ出したインクを打ち捨てることを特徴とする。
本発明の他の態様は、被記録材の搬送方向に異なる色用のドット形成アレイが順次配列された記録ヘッドと、被記録材を下方から支え、前記異なる色用のドット形成アレイに対応し互いに離間した複数の支持部と、を備え、それぞれの前記異なる色用のドット形成アレイにおける被記録材の始端を余白なく記録する際は、前記色用のドット形成アレイのそれぞれに対応する前記支持部の前記搬送方向の下流側で、それぞれ被記録材の縁からはみ出したインクを打ち捨て、それぞれの前記異なる色用のドット形成アレイにおける被記録材の終端を余白なく記録する際は、前記色用のドット形成アレイのそれぞれに対応する前記支持部の前記搬送方向の上流側で、それぞれ被記録材の縁からはみ出したインクを打ち捨てることを特徴とする。
本発明の他の態様は、副走査方向に複数のドット形成要素が配列されたドット形成要素アレイを有する記録ヘッドと、該記録ヘッドを主走査方向に走査しつつ、該記録ヘッドと対向した被記録材に記録するときに、被記録材の位置を規定するプラテンと、該記録ヘッドの上流側に配設された被記録材送りローラと、前記記録ヘッドの下流側に配設された排出ローラとを備え、前記プラテンは、前記ドット形成要素アレイの副走査方向の下流側部分であって中央部まで至らない範囲と対向するプラテン面の当該対向部分に局在して第１穴が設けられ、被記録材の始端を余白無く記録する際に該始端から外れて打ち捨てられたインクを該第１穴に導くように形成されているインクジェット記録装置である。
すなわち、当該プラテンは、第１穴がドット形成要素アレイの分布範囲の端部近傍に開
口部が対峙するように形成されている。
【手続補正３】
【補正対象書類名】明細書
【補正対象項目名】００１０
【補正方法】変更
【補正の内容】
【００１０】
また、本発明の他の態様は、副走査方向に複数のドット形成要素が配列されたドット形成要素アレイを有する記録ヘッドと、該記録ヘッドを主走査方向に走査しつつ、該記録ヘッドと対向した被記録材に記録するときに、被記録材の位置を規定するプラテンと、該記録ヘッドの上流側に配設された被記録材送りローラと、前記記録ヘッドの下流側に配設された排出ローラとを備え、前記プラテンは、前記ドット形成要素アレイの副走査方向の上流側部分であって中央部まで至らない範囲と対向するプラテン面の当該対向部分に局在して第２穴が設けられ、被記録材の終端を余白無く記録する際に該終端から外れて打ち捨てられたインクを該第２穴に導くように形成されているインクジェット記録装置である。
すなわち、当該プラテンは、第２穴がドット形成要素アレイの分布範囲の端部近傍に開
口部が対峙するように形成されている。
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】変更
【補正の内容】
【００１３】
また本発明の他の態様は、上記第１穴および第２穴を有するインクジェット記録装置において、前記記録ヘッドは、前記ドット形成要素アレイを駆動するドット駆動制御部によって、ドット形成要素アレイの全ドット形成要素を駆動させて記録する標準インターレース記録と、一部のドット形成要素に限定して駆動させて記録する限定インターレース記録とを切り換えて実行可能に構成されていると共に、被記録材の始端が前記第１穴部分に位置するとき、及び被記録材の終端が前記第２穴部分に位置するときに、前記限定インターレース記録が実行される。
【手続補正６】
【補正対象書類名】明細書
【補正対象項目名】００１５
【補正方法】変更
【補正の内容】
【００１５】
また本発明の他の態様は、上記第１穴および第２穴を有するインクジェット記録装置において、プラテン面には、前記ドット形成要素アレイと対向する範囲内に前記被記録材をその下から接触して支える平坦な頂面が位置している。これにより、記録ヘッドに対する被記録材の位置を安定させてしっかりと規定することができる。
【手続補正７】
【補正対象書類名】明細書
【補正対象項目名】００１６
【補正方法】変更
【補正の内容】
【００１６】
また本発明の他の態様は、上記第１穴および第２穴を有するインクジェット記録装置において、プラテン面には、前記ドット形成要素アレイと対向する範囲外の下流側に前記被記録材をその下から接触して支える平坦な頂面が位置している。これにより、全ノズルを使用しての記録中に誤って、前記ドット形成要素アレイと対向する位置のプラテン面にインクが付着しても、記録中の被記録材が排出されるまで、該媒体が汚れることはない。また、被記録材送りローラから前記平坦な頂面までの距離を遠く設定できるので、被記録材搬送負荷を軽くでき、特に厚い用紙の搬送性を向上できる。
【手続補正８】
【補正対象書類名】明細書
【補正対象項目名】００１７
【補正方法】変更
【補正の内容】
【００１７】
また本発明の他の態様は、上記第１穴および第２穴を有するインクジェット記録装置において、前記穴内にインク吸収材が設けられている。このインク吸収材により、打ち捨てられたインクを漏洩させずに安定して貯溜して置くことができ、また、その取り出し交換作業も容易である。
【手続補正９】
【補正対象書類名】明細書
【補正対象項目名】００１８
【補正方法】変更
【補正の内容】
【００１８】
また本発明の他の態様は、上記第１穴および第２穴を有するインクジェット記録装置において、前記穴の開口部に撥水性の網体が被設され、該網体と接触するインク吸収体が前記穴内に設けられている。
【手続補正１０】
【補正対象書類名】明細書
【補正対象項目名】００２０
【補正方法】変更
【補正の内容】
【００２０】
また本発明の他の態様は、上記第１穴および第２穴を有するインクジェット記録装置において、前記穴の開口部に開閉可能な蓋体が設けられ、該蓋体は、被記録材の始端または終端を余白無く記録する際に開蓋され、前記余白無し記録以外の記録のときは閉じられている。
【手続補正１１】
【補正対象書類名】明細書
【補正対象項目名】００２２
【補正方法】変更
【補正の内容】
【００２２】
また本発明の他の態様は、上記蓋体を有するインクジェット記録装置において、前記蓋体は、前記穴の開口部より下方に回動支点を有し、該回動支点を中心に回動して開閉駆動される。本構成によれば、記録用紙の搬送経路上に当該蓋体を開閉させる機構を存在させなくすることができるので、新たな部材を設けることによって紙ジャム発生の虞が増すことを防止できる。
【手続補正１２】
【補正対象書類名】明細書
【補正対象項目名】００２３
【補正方法】変更
【補正の内容】
【００２３】
また、本発明の他の態様は、副走査方向に複数のドット形成要素が配列されたドット形成要素アレイを有する記録ヘッドと、該記録ヘッドを主走査方向に走査しつつ、該記録ヘッドと対向した被記録材に記録するときに、被記録材の位置を規定するプラテンと、該記録ヘッドの上流側に配設された被記録材送りローラと、前記記録ヘッドの下流側に配設された排出ローラとを備えたインクジェット記録装置により被記録材の副走査方向端部を余白無く記録する記録方法であって、被記録材の端部が前記ドット形成要素アレイの副走査方向の範囲内に位置する状態でインクを噴射し、そのインクの一部をプラテン面の前記ドット形成要素アレイの余白無し記録をする際に使用される部分に対向する部位に局在して設けられた穴に打ち捨てることにより、該被記録材の端部に余白無く記録する。
【手続補正１３】
【補正対象書類名】明細書
【補正対象項目名】００２５
【補正方法】変更
【補正の内容】
【００２５】
また、本発明の他の態様は、上記インクジェット記録装置による記録方法において、前記記録ヘッドは、被記録材の端部を余白無く記録するときは、全ドット形成要素の端部寄りの一部を駆動させて記録するインターレース記録を実行し、それ以外の記録領域を記録するときは全ドット形成要素を駆動させて記録するインターレース記録を実行する。
【手続補正１４】
【補正対象書類名】明細書
【補正対象項目名】００２６
【補正方法】変更
【補正の内容】
【００２６】
また、本発明の他の態様は、副走査方向に複数のドット形成要素が配列されたドット形成要素アレイを有する記録ヘッドと、該記録ヘッドを主走査方向に走査しつつ、該記録ヘッドと対向した被記録材に記録するときに、その位置を規定するプラテンと、該記録ヘッドの上流側に配設された被記録材送りローラと、前記記録ヘッドの下流側に配設された排出ローラとを備えたインクジェット式記録装置であって、前記プラテンは、前記ドット形成要素アレイと対向する部分のプラテン面に前記被記録材をその下から接触して支える平坦な頂面が設けられ、該頂面の被記録材搬送方向におけるほぼ中央部に中央穴が設けられ、被記録材の始端及び／又は終端を余白無く記録する際に該始端又は終端から外れて打ち捨てられたインクを該中央穴に導くように形成されている。
【手続補正１５】
【補正対象書類名】明細書
【補正対象項目名】００２８
【補正方法】変更
【補正の内容】
【００２８】
また、本発明の他の態様は、副走査方向に複数のドット形成要素が配列されたドット形成要素アレイを、複数の色用にそれぞれ有すると共に、各色に対応する複数のドット形成要素アレイが副走査方向に順次配列されて成る記録ヘッドと、該記録ヘッドを主走査方向に走査しつつ、該記録ヘッドと対向した被記録材に記録するときに、その位置を規定するプラテンと、該記録ヘッドの上流側に配設された被記録材送りローラと、前記記録ヘッドの下流側に配設された排出ローラとを備えたインクジェット式記録装置であって、前記プラテンは、各色に対応する前記複数の各ドット形成要素アレイのそれぞれに対して、副走査方向の下流側部分と対向する部分のプラテン面に第１穴が設けられると共に、副走査方向の上流側部分と対向する部分のプラテン面に第２穴が設けられ、各色に対応する前記複数の各ドット形成要素アレイのそれぞれに対して、被記録材の始端を余白無く記録する際に該始端から外れて打ち捨てられたインクを前記第１穴に導き、被記録材の終端を余白無く記録する際に該終端から外れて打ち捨てられたインクを前記第２穴に導くように形成されている。
【手続補正１６】
【補正対象書類名】明細書
【補正対象項目名】００３０
【補正方法】変更
【補正の内容】
【００３０】
また、本発明の他の態様は、第１３の態様に係るインクジェット記録装置において、前記記録ヘッドは、前記ドット形成要素アレイを駆動するドット駆動制御部によって、ドット形成要素アレイの全ドット形成要素を駆動させて記録する標準インターレース記録と、一部のドット形成要素に限定して駆動させて記録する限定インターレース記録とを切り換えて実行可能に構成されていると共に、被記録材の始端及び終端が前記中央穴部分に位置するときに、前記限定インターレース記録が実行される。
【手続補正１７】
【補正対象書類名】明細書
【補正対象項目名】００３２
【補正方法】削除
【補正の内容】